(57)【要約】【課題】２台のカメラを接続した状態で、いずれかのカメラに対し、ユーザが右目の設定、或いは左目用の設定を行うと、他方のカメラに対しては反対側の画像の設定を自動的に行うようにする。【解決手段】タイムコード及び画像同期を共有するための同期通信回線を介して接続された主たる撮像装置と従たる撮像装置の２台で撮影する撮像システムを構成し、前記主たる撮像装置が右目ように設定されると、右目用の設定を行うとともに、前記３Ｄ撮影時の左目用の設定を行うための左右位置情報を、前記同期通信回線を介して接続された撮像装置に送信するようにする。【選択図】図３
2014217007.tif 000002
【特許請求の範囲】
【請求項１】
タイムコード及び画像同期を共有するための同期通信回線を介して接続された主たる撮像装置である第１の撮像装置と、従たる撮像装置である第２の撮像装置の２台で撮影する撮像システムであって、
前記第１の撮像装置及び第２の撮像装置は、
撮影中の映像や撮影した映像を再生表示する表示装置と、
３Ｄ撮影時の右目用あるいは左目用の設定を行うための３Ｄ撮影設定情報を設定する３Ｄ撮影設定手段とを有し、
前記第１の撮像装置は、
前記３Ｄ撮影設定手段が設定した３Ｄ撮影時の左右位置情報を前記第２の撮像装置に送信し、
前記第２の撮像装置は、
前記第１の撮像装置から送信された３Ｄ撮影時の左右位置情報を受信し、
前記第２の撮像装置の３Ｄ撮影設定手段は、受信した３Ｄ撮影時の左右位置情報とは逆の左右位置情報を設定し、
前記第１の撮像装置及び第２の撮像装置で撮影された映像ファイル名の一部に、前記３Ｄ撮影設定情報により設定された、前記右目用あるいは左目用の設定にて撮影された映像ファイル名の一部または映像ファイル内部に３Ｄ撮影情報として左右位置情報を付加し、前記第１の撮像装置及び第２の撮像装置で同時に撮影された映像のファイル名は同一にすることを特徴とする撮像システム。
【請求項２】
前記第１の撮像装置及び第２の撮像装置は、映像の表示や各種の設定情報を表示する表示手段を有し、
前記表示手段は、前記３Ｄ撮影設定手段により設定された左右位置情報を、前記第１の撮像装置及び第２の撮像装置の表示装置に表示することを特徴とする請求項１に記載の撮像システム。
【請求項３】
タイムコード及び画像同期を共有するための同期通信回線を介して接続された主たる撮像装置である第１の撮像装置と、従たる撮像装置である第２の撮像装置の２台で撮影する撮像システムであって、
前記第１の撮像装置及び第２の撮像装置は、
撮影中の映像や撮影した映像を再生表示する表示装置と、
３Ｄ撮影時の右目用あるいは左目用の設定を行うための３Ｄ撮影設定情報を設定する３Ｄ撮影設定手段とを有し、
前記第１の撮像装置は、
前記３Ｄ撮影設定手段が設定した３Ｄ撮影時の左右位置情報を前記第２の撮像装置に送信し、
前記第２の撮像装置は、
前記第１の撮像装置から送信された３Ｄ撮影時の左右位置情報を受信し、
前記第２の撮像装置の３Ｄ撮影設定手段は、受信した３Ｄ撮影時の左右位置情報を設定し、
前記第１の撮像装置及び第２の撮像装置で撮影された映像ファイル名の一部に、前記３Ｄ撮影設定情報により設定された、前記右目用あるいは左目用の設定にて撮影された映像ファイル名の一部または映像ファイル内部に３Ｄ撮影情報として左右位置情報を付加し、前記第１の撮像装置及び第２の撮像装置で同時に撮影された映像のファイル名は同一にすることを特徴とする撮像システム。
【請求項４】
前記第１の撮像装置及び第２の撮像装置は、映像の表示や各種の設定情報を表示する表示手段を有し、
前記表示手段は、前記３Ｄ撮影設定手段により設定された左右位置情報を、各撮像装置の表示装置に表示することを特徴とする請求項３に記載の撮像システム。
【請求項５】
タイムコード及び画像同期を共有するための同期通信回線を介して接続された主たる撮像装置である第１の撮像装置と、従たる撮像装置である第２の撮像装置の２台で撮影する撮像システムであって、
前記第１の撮像装置及び第２の撮像装置は、
撮像装置の左側及び右側のどちらかに移動することにより表示が可能な接続がなされ、撮影中の映像や撮影した映像を再生表示する表示装置と、
３Ｄ撮影時の右目用あるいは左目用の設定を行うための３Ｄ撮影設定情報を設定する３Ｄ撮影設定手段とを有し、
前記表示装置が左右どちらに移動したかを確認するための確認手段と、
３Ｄ撮影を行うモードを設定する３Ｄ撮影モード設定手段と、
前記第１の撮像装置及び第２の撮像装置からの撮影位置を示す左右位置情報を設定する左右位置情報設定手段とを有し、
前記第１の撮像装置及び第２の撮像装置で撮影された映像ファイル名の一部に、前記３Ｄ撮影設定情報により設定された、前記右目用あるいは左目用の設定にて撮影された映像ファイル名の一部または映像ファイル内部に３Ｄ撮影情報として左右位置情報を付加し、前記第１の撮像装置及び第２の撮像装置で同時に撮影された映像ファイル名の一部は同一にし、
前記第１の撮像装置は、
前記設定手段により３Ｄ撮影が選択された場合に、前記確認手段により確認された左右の設定情報により左右の設定を行い、該撮像装置で設定された３Ｄ撮影の左右を設定する情報と逆の左右の設定情報を第２の撮像装置に通知することを特徴とする撮像システム。
【請求項６】
前記第２の撮像装置の３Ｄ撮影設定手段は、前記第１の撮像装置から受信した左右の設定情報に基づいて３Ｄ撮影時の右目用あるいは左目用の設定を行うことを特徴とする請求項５に記載の撮像システム。
【請求項７】
前記第２の撮像装置の３Ｄ撮影設定手段は、前記第１の撮像装置から受信した左右の設定情報と逆の情報に基づいて３Ｄ撮影時の右目用あるいは左目用の設定を行うことを特徴とする請求項５に記載の撮像システム。
【請求項８】
請求項１〜７の何れか１項に記載の撮像システムを構成することが可能なことを特徴とする撮像装置。
【発明の詳細な説明】
【技術分野】
【０００１】
本発明は撮像システムおよび撮像装置に関し、特に、２台のカメラを接続して３Ｄ（立体）画像を撮影するために用いて好適な技術に関する。
【背景技術】
【０００２】
従来、２台のカメラを用いて３Ｄ（立体）画像を撮影し、記録するシステムが提案されている（例えば、特許文献１参照）。この種のシステムでは、２台のカメラを使用して、左右に視差のある画像を同時に撮影する。
【先行技術文献】
【特許文献】
【０００３】
【特許文献１】特開２０１１−１６０３４７号公報
【発明の概要】
【発明が解決しようとする課題】
【０００４】
しかしながら、２台のカメラで撮影された画像をそれぞれ別の記録媒体に記録し、これらを編集することにより３Ｄの画像を生成する場合、記録された画像が左目用と右目用の何れの画像であるかわからない場合があり不便を生じていた。
【０００５】
前述のような不便を解消するためには、撮影前にユーザがそれぞれのカメラを操作して、左目用と右目用の何れの画像であるかを記録する必要があり、大変手間がかかる問題点があった。
本発明は前述の問題点に鑑み、２台のカメラを接続した状態で、いずれかのカメラに対し、ユーザが右目の設定、或いは左目用の設定を行うと、他方のカメラに対しては反対側の画像の設定を自動的に行うようにすることを目的とする。
【課題を解決するための手段】
【０００６】
本発明の撮像システムは、タイムコード及び画像同期を共有するための同期通信回線を介して接続された主たる撮像装置である第１の撮像装置と、従たる撮像装置である第２の撮像装置の２台で撮影する撮像システムであって、前記第１の撮像装置及び第２の撮像装置は、撮影中の映像や撮影した映像を再生表示する表示装置と、
３Ｄ撮影時の右目用あるいは左目用の設定を行うための３Ｄ撮影設定情報を設定する３Ｄ撮影設定手段とを有し、前記第１の撮像装置は、前記３Ｄ撮影設定手段が設定した３Ｄ撮影時の左右位置情報を前記第２の撮像装置に送信し、前記第２の撮像装置は、前記第１の撮像装置から送信された３Ｄ撮影時の左右位置情報を受信し、前記第２の撮像装置の３Ｄ撮影設定手段は、受信した３Ｄ撮影時の左右位置情報とは逆の左右位置情報を設定し、前記第１の撮像装置及び第２の撮像装置で撮影された映像ファイル名の一部に、前記３Ｄ撮影設定情報により設定された、前記右目用あるいは左目用の設定にて撮影された映像ファイル名の一部または映像ファイル内部に３Ｄ撮影情報として左右位置情報を付加し、前記第１の撮像装置及び第２の撮像装置で同時に撮影された映像のファイル名は同一にすることを特徴とする。
【発明の効果】
【０００７】
本発明によれば、３Ｄ映像の素材撮影時に２台のカメラの左目用設定および右目用設定を行う際に、何れか一方のカメラに対して、ユーザが右目の設定、或いは左目用の設定を行うと、他方のカメラに対しては反対側の画像の設定を自動的に行うことが可能となる。
本発明の他の特徴によれば、３Ｄ映像撮影後に左目用および右目用に対応した動画ファイルの確認を容易に行うことができるとともに、３Ｄ編集時にも左目用および右目用の動画ファイルの判断が容易になり、３Ｄ映像編集作業時の手間を削減することができる。
【図面の簡単な説明】
【０００８】
【図１】ハーフミラー方式の３Ｄリグを使用し２台のカメラを使用した３Ｄ撮影システムの構成例を示す図である。
【図２】カメラのシステム構成例を示すブロック図である。
【図３】マスターカメラの３Ｄ撮影時における左右位置設定制御の処理手順を示すフローチャートである。
【図４】マスターカメラの３Ｄ撮影時に左右位置設定を行う画面例を示す図である。
【図５】マスターカメラによる３Ｄ撮影時左右位置設定後の表示例を示す図である。
【図６】マスターカメラが３Ｄ撮影時右位置設定である場合の動画ファイル記録例を示す図である。
【図７】スレーブカメラの３Ｄ撮影時における左右位置設定制御の処理手順を示すフローチャートである。
【図８】スレーブカメラの３Ｄ撮影時に左右位置設定を行う画面例を示す図である。
【図９】スレーブカメラによる３Ｄ撮影時左右位置設定後の表示例を示す図である。
【図１０】スレーブカメラが３Ｄ撮影時左位置設定である場合の動画ファイル記録例を示す図である。
【図１１】Time Code端子を使用した３０−フレームリニアタイムコードの例を示す図である。
【図１２】Time Code端子を使用した３Ｄ撮影左右位置コマンド送信例を示す図である。
【図１３】Time Code端子を使用した３Ｄ撮影ファイル情報コマンド送信例を示す図である。
【図１４】第２の実施形態を示し、ＵＭＩＤデータの基本構成例を示す図である。
【図１５】第２の実施形態を示し、ＵＭＩＤデータの基本値例を示す図である。
【図１６】第２の実施形態を示し、ＵＭＩＤデータを使用した３Ｄ撮影情報格納例を示す図である。
【図１７】第３の実施形態を示し、並行式リグを使用して２台のカメラを使用した３Ｄ撮影システムの構成例示す図である。
【図１８】第３の実施形態を示し、パネルを左に開く方向により３Ｄ撮影の左目用撮影の設定となるカメラ状態を示す図である。
【図１９】第３の実施形態を示し、パネルを右に開く方向により３Ｄ撮影の右目用撮影の設定となるカメラ状態を示す図である。
【図２０】第３の実施形態を示し、マスターカメラの３Ｄ撮影左右位置設定制御の処理手順を示すフローチャートである。
【図２１】第３の実施形態を示し、マスターカメラの３Ｄ撮影左右位置設定を行う画面例を示す図である。
【発明を実施するための形態】
【０００９】
以下に、本発明の好ましい実施形態を、添付の図面に基づいて詳細に説明する。
図１は、本発明の実施形態にかかわる撮像システムの全体構成図である。本実施形態において、ハーフミラー方式の３Ｄ撮影リグを使用し２台のカメラを取り付け、ＶＩＤＥＯ出力端子とＧＥＮＬＯＣＫ入力端子、及びTime Code出力端子とTime Code入力端子を接続した状態を表した例を示している。
【００１０】
＜第１の実施形態＞
図１に、２台のカメラを使用した３Ｄ撮影システムの構成例を示す。
この３Ｄ撮影システムは、ハーフミラー方式の３Ｄ撮影リグを使用して２台のカメラを取り付け、同期信号を接続した３Ｄ撮影システムである。具体的には、第１の撮像装置であるマスターカメラ１０１、第２の撮像装置であるスレーブカメラ１０２、とハーフミラー方式の３Ｄ撮影リグ１０３、で構成されている。
ハーフミラー１０４は、被写体１０８からの反射光１０５を反射してマスターカメラ１０１に送り、また、反射光１０５を透過してスレーブカメラ１０２に送る。
【００１１】
そして、後述するように、マスターカメラ１０１のＶＩＤＥＯ出力端子部２１０とスレーブカメラ１０２のＧＥＮＬＯＣＫ入力端子部２１１とを同期通信回線１０６を介して接続することにより同期を可能としている。また、マスターカメラ１０１のTime Code出力端子部２１２とスレーブカメラ１０２のTime Code入力端子部２１３とを同期通信回線１０７を介して接続する。これにより、タイムコードを同期させると共に３Ｄ撮影情報を転送することができ、タイムコード及び画像同期を共有した３Ｄ画像を撮影する３Ｄ撮影システムを構築することができる。
【００１２】
図２は、マスターカメラ１０１及びスレーブカメラ１０２として用いられるカメラ２００の構成を示す図である。
カメラ２００はカメラ全体のシステムを制御するシステムコントローラ２０１と各機能を処理するブロックから構成される。
【００１３】
カメラ２００を用いて映像を撮影する際、まず撮像部２０２（光学系とその光学系を制御するためのモータ、撮像素子などから構成される）を通過した被写体からの反射光は撮像素子の面上に光学像を結像し、撮像素子により電気信号に変換される。音声は音声入力部２０３により電気信号に変換される。
【００１４】
映像及び音声の電気信号は画像音声処理部２０４によりデジタルデータに変換され、映像の電気信号は画像圧縮され、音声の電気信号は音声圧縮され、それぞれの圧縮データとなる。
画像音声処理部２０４により圧縮された画像及び音声は、システムコントローラ２０１のファイル管理部（図示せず）によりファイルの管理がされ、記憶媒体インターフェイス２０６を経由して記録装置本体に装着された着脱可能な記憶媒体２０７に記録される。また、音声の電気信号は、音声出力部２０８に出力される。
【００１５】
記憶媒体２０７に記録されたデータを再生する際、記憶媒体２０７から記憶媒体インターフェイス２０６を経由して読み出されたデータは画像音声処理部２０４で表示に最適なデータに変換される。その後に、撮影中の映像や撮影した映像を再生表示するための表示部２０９に表示される。
【００１６】
ユーザは、ユーザ操作部２０５によってカメラ２００の操作を行うことができる。システムコントローラ２０１は、ユーザ操作部２０５により操作したキー入力情報により各種メニュー表示やカメラの状態を表示部２０９に表示する。
【００１７】
マスターカメラ１０１のＶＩＤＥＯ出力端子部２１０とスレーブカメラ１０２のＧＥＮＬＯＣＫ入力端子部２１１を接続することで、２台のカメラの動作を同期させることが可能となる。また、マスターカメラ１０１のTime Code出力端子部２１２とスレーブカメラ１０２のTime Code入力端子部２１３を接続することで、各カメラで記録される動画の各フレームに付加されるタイムコードを同期させることが可能となる。
【００１８】
図３は、マスターカメラ１０１の３Ｄ撮影（立体撮影）時の左目用あるいは右目用の設定を行うシーケンスの一例を説明するフローチャートである。ユーザは、マスターカメラ１０１のユーザ操作部２０５を操作することにより３Ｄ撮影を設定することが可能である。このフローチャートの処理は、システムコントローラ２０１に配設されている図示しないＲＯＭに記憶されているプログラムをＲＡＭに展開し、ＣＰＵが実行することにより実現される。
【００１９】
マスター側カメラ設定処理がスタートすると（Ｓ３０１）、３Ｄ撮影時における左目用或いは右目用の設定用画面が表示部２０９に表示される。
次に、３Ｄ撮影時における左目用或いは右目用の設定を行うか否かを確認する（Ｓ３０２）。ユーザに３Ｄ撮影の設定をする意思がない場合は、３Ｄ撮影時の一連の動作を終了する。
【００２０】
マスターカメラ１０１の３Ｄ撮影時における右目用の設定を行うか否かの確認を行い（Ｓ３０３）、「ＹＥＳ」の場合は右目用の設定を行い（Ｓ３０４）、右目用の設定を行わない場合は左目用の設定を行う（Ｓ３０５）。このようにして、マスターカメラ１０１及びスレーブカメラ１０２からの撮影位置を示す左右位置情報を設定する左右位置情報設定を行う。
【００２１】
次に、スレーブカメラ１０２に対して、マスターカメラ１０１の３Ｄ設定左右位置情報を送信する（Ｓ３０６）。スレーブカメラ１０２に対してマスターカメラ１０１の画像ファイル作成時に使用する管理ファイル番号を送信する（Ｓ３０７）処理を行い、一連の３Ｄ撮影時の設定処理を終了する（Ｓ３０８）。
【００２２】
Time Code端子に本システムの独自コマンドを追加することにより、以下の３Ｄ撮影設定情報の送信（Ｓ３０６）及び管理ファイル番号を送信する（Ｓ３０７）処理を実現する。
【００２３】
図４は、マスターカメラ１０１の３Ｄ撮影時の左目用或いは右目用の設定を行う表示例を示す図であり、図２のユーザ操作部２０５により３Ｄ撮影時の左目用或いは右目用の設定を行うための操作を行い、図２の表示部２０９に表示される例を示す図である。この３Ｄ撮影時の左目用或いは右目用の設定画面を表示例では、３Ｄ撮影右目用に設定されている状態が表示されており、図２のユーザ操作部２０５により設定を確定することが可能であると共に３Ｄ撮影左目用に設定変更が可能である。図３の３Ｄ撮影の左右位置を設定する処理（Ｓ３０４）および（Ｓ３０５）に該当する。
【００２４】
図５は、マスターカメラ１０１が３Ｄ撮影設定後に、図２の表示部２０９される情報の表示例を示す図である。図５において、３Ｄ撮影モード設定がされていることを示す情報５０１、マスターカメラであること及び右目用のカメラであることを示す情報５０２、記憶媒体２０７に記録可能な時間５０３が表示される。
【００２５】
図６は、３Ｄ撮影で撮影後にマスターカメラ１０１が右位置設定である場合の動画ファイル記録例として、記憶媒体２０７に右目用で記録したファイル保存状態について記載する図である。本実施形態では、ＡＶＣＨＤフォーマットに従い動画を記録する。図６において、ＣＬＩＰＩＮＦ６０１やＳＴＥＡＭ６０５、ディレクトリ内の動画ファイル６０２、６０３、６０４、６０６、６０７、６０８等のファイル名に“３Ｄ＿Ｒ”が付加される。このようにファイル名を付加することにより、各ファイルが、３Ｄ撮影における右目用の動画に関するファイルであることがわかる。
【００２６】
図７は、スレーブカメラ１０２の３Ｄ撮影時の左目用あるいは右目用の設定を行うシーケンス例を説明するフローチャートである。
スレーブ側カメラ設定処理がスタートすると（Ｓ７０１）、スレーブカメラ１０２のＧＥＮＬＯＣＫ入力端子部２１１が接続されているか否かの確認を行う（Ｓ７０２）。そして、ＧＥＮＬＯＣＫ入力端子部２１１が接続されている場合は処理を続け、接続されていない場合は３Ｄ撮影用の一連の動作を終了する。
【００２７】
次に、Time Code入力端子部２１３が接続しているか確認を行い、スレーブカメラ１０２に対して各種通知を行える状態であるか確認を行う（Ｓ７０３）。Time Code入力端子部２１３が接続されている場合は処理を続け、接続されていない場合は３Ｄ撮影時の一連の動作を終了する。
【００２８】
マスターカメラ１０１より３Ｄ撮影情報が受信されたか否かを確認し（Ｓ７０４）、受信していない場合は３Ｄ撮影時の一連の動作を終了する。
マスターカメラ１０１より３Ｄ撮影情報が受信された場合に３Ｄ撮影の右目用の設定であるか否かを確認する（Ｓ７０５）。マスターカメラ１０１の３Ｄ撮影情報が右目用の場合は、スレーブカメラ１０２の３Ｄ撮影情報設定は左目用に設定を行う（Ｓ７０６）。マスターカメラ１０１の３Ｄ撮影情報が左目用の場合は、スレーブカメラ１０２の３Ｄ撮影情報設定は右目用に設定を行う（Ｓ７０７）。
【００２９】
マスターカメラ１０１からマスターカメラ１０１の管理ファイル番号を受信したか否かを確認し（Ｓ７０８）、受信していない場合は３Ｄ撮影時の一連の動作を終了する。マスターカメラ１０１の管理ファイル番号をスレーブカメラ１０２に設定する（Ｓ７０９）。
【００３０】
マスターカメラ１０１のTime Code出力端子部２１２からスレーブカメラ１０２のTime Code入力端子部２１３に向け、本システムの独自コマンドを追加する。これにより、３Ｄ撮影設定情報の受信処理（Ｓ７０４）及び管理ファイル番号受信処理（Ｓ７０８）を実現する。
前述のようにして、一連の３Ｄ撮影時の設定処理を終了する（Ｓ７１０）。
【００３１】
図８は、スレーブカメラ１０２の３Ｄ撮影時の左目用或いは右目用の設定を行う表示例を示す図である。これは、図７のスレーブカメラの３Ｄ撮影時の左目用あるいは右目用の設定を行うシーケンスで受信した情報によりマスターカメラ１０１の設定と反転した設定を自動で行い、３Ｄ撮影時の左目用に設定されたことを図２の表示部２０９により表示した図である。
【００３２】
図９は、スレーブカメラ１０２が３Ｄ撮影設定を行った後、図２の表示部２０９に表示される情報の表示例を示す図である。図９において、３Ｄ撮影モードが設定されていることを示す情報９０１、スレーブのカメラであること、及び左目用のカメラであることを示す情報９０２、記録媒体に記録可能な時間９０３が表示される。
【００３３】
図１０は、３Ｄ撮影で撮影後にスレーブカメラが左目用設定である場合の動画ファイル記録例として記録媒体に左目用で記録したファイル保存状態について記載する図である。図１０の例ではＡＶＣＨＤで動画を撮影している状態である。ＣＬＩＰＩＮＦ（１００１）やＳＴＥＡＭ（１００５）ディレクトリ内の動画ファイル（１００２、１００３、１００４、１００６、１００７、１００８）のファイル名に“３Ｄ＿Ｌ”が付加され３Ｄ撮影で左目用の映像を撮影したファイルであると示している。
【００３４】
また、マスターカメラの図６と対比してＣＬＩＰＩＮＦ（６０１）やＳＴＥＡＭ（６０５）ディレクトリ内の動画ファイル（６０２、６０３、６０４、６０６、６０７、６０８）。これらのファイル番号が“００００〜０００２“で同一の番号で記録されており、左右位置のファイル関係が容易に判ることを示している。
【００３５】
図１１は、Time Code出力端子部２１２およびTime Code入力端子部２１３で送受信されるパケット「３０−フレームリニアタイムコード」の例を示す図である。Time Code出力端子部２１２およびTime Code入力端子部２１３を使用してマスターカメラ１０１からスレーブカメラ１０２に対して３Ｄ撮影の左右位置設定情報や管理ファイル番号の情報を本システムの独自コマンドを送受信して行われる。
【００３６】
バイナリグループ１（１１０１）〜バイナリグループ８（１１０８）は、ユーザによるデータの伝送、記録のために用意された領域であり、８つの４ビット×８グループの３２ビットは制限なしに、いかようにも割り当てることができる。
【００３７】
マスターカメラ１０１からスレーブカメラ１０２に対して３Ｄ撮影情報の独自コマンドを送信する（Ｓ３０６）には、バイナリグループ１（１１０１）とバイナリグループ２（１１０２）を使用する。
図１２において、バイナリグループ１（１１０１）〜バイナリグループ２（１１０２）に右位置情報送信時は“Ｆ０”（１２０１、１２０２）、左位置情報送信時は“Ｆ１” （１２０１、１２０２）を送信することが可能である。
【００３８】
マスターカメラ１０１からスレーブカメラ１０２に対して３Ｄ撮影情報の独自コマンドを送信する（Ｓ３０７）には、バイナリグループ１（１１０１）とバイナリグループ３〜６を使用する。図１３において、ファイル番号情報送信は“Ｅ０”（１３０１）及びバイナリグループ３（１１０３）〜バイナリグループ６（１１０６）を使用してファイル管理を行う４桁の数字（１３０２、１３０３、１３０４、１３０５）を送信することで可能である。
【００３９】
前述したように、本実施形態の３Ｄ撮影システムにおいては、撮影された映像ファイル名の一部に、３Ｄ撮影設定情報により設定された、右目用あるいは左目用の設定にて撮影された映像ファイル名の一部を付加する。または映像ファイル内部に３Ｄ撮影情報として左右位置情報を付加する。そして、第１の撮像装置及び第２の撮像装置で同時に撮影された映像のファイル名は同一にする。
【００４０】
＜第２の実施形態＞
第２の実施形態では、図１のマスターカメラ１０１、スレーブカメラ１０２がそれぞれ、動画をＭＸＦフォーマットで記録する。本実施形態では、ＭＸＦ規格を使用し動画データと共にメタデータを記録する際にＵＭＩＤＵＭＩＤ（Unique Material Identifier）を付加している。これにより、３Ｄ撮影情報の左右位置情報と同時に撮影した関連番号を付加することにより３Ｄ映像に編集する際にファイル操作を容易にすることが可能となる。
【００４１】
図１４は、ＭＸＦ規格のＵＭＩＤの構成図（１４００）であり、基本ＵＭＩＤとソースパックの６４Byteの構成を使用する例を示している。
図１５は、ＭＸＦ規格のＵＭＩＤの構成図（１４００）の各Ｉｔｅｍのレングスや値を示しており、本実施形態はＩｔｅｍのUseｒ Code（１５０１）を使用する例を示している。
【００４２】
図１６は、Useｒ Code領域４Byteを使用した、３Ｄ撮影時の左右位置情報や管理ファイル番号を示している。１Byte目（１６０１）は“Ｆ０”を格納した場合は３Ｄ撮影モードの右目用の動画ファイルを撮影していることを表し、“Ｆ１” を格納した場合は３Ｄ撮影モードの左目用の動画ファイルを撮影していることを表している。
【００４３】
３Byte目（１６０２）と４Byte目（１６０３）を使用し、ファイル管理用番号４ケタを格納した状態を表し、マスターカメラ１０１が右目用で撮影し、ファイル管理用番号を０００１とした場合は“Ｆ０、００、００、０１”となる。
【００４４】
＜第３の実施形態＞
第３の実施形態では、２台のカメラを並行式リグに接続した場合にパネルの開ける状態は左位置のカメラの場合は左、あるいは右目用のカメラの場合は右となる特徴を生かした例を説明する。具体的には、マスターカメラ１０１のパネルを開く方向により３Ｄ撮影の左目用あるいは右目用の設定を自動的に行い、スレーブカメラに対してマスターカメラとは反対の３Ｄ撮影の右目用あるいは左目用を送信するシーケンスを示す。
【００４５】
図１７は、２台のカメラを並行式リグに接続した３Ｄ撮影システムの構成例を示す図であり、右目用カメラ１７０１と左目用カメラ１７０２を並行式リグ１７０３に接続しており、撮影被写体１７０６を２台のカメラで撮影することで３Ｄ撮影を可能にしている。
【００４６】
右目用カメラ１７０１のＶＩＤＥＯ出力端子部２１０と左目用カメラ１７０２のＧＥＮＬＯＣＫ入力端子部２１１とを同期通信回線１７０４を介して接続している。また、Time Code出力端子部２１２とTime Code入力端子部２１３を同期通信回線１７０５を介して接続している。これにより、右目用カメラ１７０１をマスターカメラとし、左目用カメラ１７０２をスレーブカメラとして、タイムコードをそれぞれ同期させることにより３Ｄ撮影システムを構築することができる。
【００４７】
また、右目用カメラ１７０１及び左目用カメラ１７０２は表示装置を有し、これらの表示装置は、カメラの左側及び右側のどちらかに移動することにより表示が可能な接続がなされ、撮影中の映像や撮影した映像を再生表示することができる。
【００４８】
図１８は、マスターカメラ１８００が３Ｄ撮影時の左位置にある場合にパネル１８０１を左に開いた場合のカメラ状態を示している。
図１９は、マスターカメラ１９００が３Ｄ撮影時の右位置にある場合にパネル１９０１を右に開いた場合のカメラ状態を示している。
【００４９】
図２０は、マスターカメラの３Ｄ撮影時の右目用あるいは左目用の設定を行うシーケンス例を説明するフローチャートである。
マスター側カメラ設定処理がスタート（Ｓ２００１）すると、マスターカメラの３Ｄ撮影時における右位置或いは左位置の設定を行うか否かをユーザに確認を行う（Ｓ２００２）。ユーザに３Ｄ撮影の設定をする意思がない場合は３Ｄ撮影時の一連の動作を終了する。
【００５０】
マスターカメラのパネルを開いた位置の確認を行い（Ｓ２００３）、パネル位置が右の場合は右位置の設定を行う（Ｓ２００４）。一方、パネル位置が左の場合は左位置の設定を行う（Ｓ２００５）。
【００５１】
スレーブカメラに対してマスターカメラの左右位置情報とは反対のスレーブカメラが設定するべき３Ｄ撮影設定情報を送信する（Ｓ２００６）。
次に、スレーブカメラに対してマスターカメラの管理ファイル番号を送信する（Ｓ２００７）。その後、一連の３Ｄ撮影時の設定処理を終了する（Ｓ２００８）。
【００５２】
マスターTime Code出力端子からスレーブTime Code入力端子に向け、本システムの独自コマンドを追加することにより、以下の３Ｄ撮影設定情報の送信（Ｓ２００６）及び管理ファイル番号送信（Ｓ２００７）を実現する。
【００５３】
図２１は、図２０のフローで３Ｄ撮影モードの設定（Ｓ２００２）を行うか否かの確認部分で、図２の表示部２０９で表示した表示例を示す図である。
図２１の表示画面２１０１に示したように、本実施形態によれば、３Ｄ撮影モードと２Ｄ撮影モードの選択が可能となり、３Ｄ撮影モードを選択した場合は、“３Ｄ撮影モードに設定した場合はパネルの開いた位置により右位置・左位置が自動で設定されます。”の表示が行われる。
【００５４】
（その他の実施形態）
また、本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００５５】
１０１  マスターカメラ
１０２  スレーブカメラ
１０３  ３Ｄ撮影リグ
１０４  ハーフミラー
１０５  撮像
１０６  同期通信回線
１０７  同期通信回線
１０８  撮影被写体
【図１】
2014217007.tif 000003
【図２】
2014217007.tif 000004
【図３】
2014217007.tif 000005
【図４】
2014217007.tif 000006
【図５】
2014217007.tif 000007
【図６】
2014217007.tif 000008
【図７】
2014217007.tif 000009
【図８】
2014217007.tif 000010
【図９】
2014217007.tif 000011
【図１０】
2014217007.tif 000012
【図１１】
2014217007.tif 000013
【図１２】
2014217007.tif 000014
【図１３】
2014217007.tif 000015
【図１４】
2014217007.tif 000016
【図１５】
2014217007.tif 000017
【図１６】
2014217007.tif 000018
【図１７】
2014217007.tif 000019
【図１８】
2014217007.tif 000020
【図１９】
2014217007.tif 000021
【図２０】
2014217007.tif 000022
【図２１】
2014217007.tif 000023